(57)【特許請求の範囲】
【請求項１】
クリップ本体部と、前記クリップ本体部を支持するクリップ支持体との間で被狭持物を挟み込むようにした筆記具のクリップ構造において、
前記クリップ支持体の軸線に対して直交する方向に延在する回動軸線をもった軸部により、前記クリップ支持体に回動自在に支持された台座部と、
前記台座部の回動を前記クリップ支持体に対して係止させる係止手段と、
前記台座部に揺動自在に支持された前記クリップ本体部と、
前記台座部と前記クリップ本体部との間に介装され、前記クリップ本体部の先端側を前記クリップ支持体に向けて付勢する弾性部材と、を備えたことを特徴とする筆記具のクリップ構造。
【請求項２】
前記係止手段は、
前記台座部に形成されて回動軸線を中心とした円弧部に設けられた平歯部と、
前記クリップ支持体の前記軸線に沿って進退すると共に、前記平歯部に係合するラッチ部と、
前記ラッチ部を前記円弧部に向けて付勢する他の弾性部材と、からなることを特徴とする請求項１記載の筆記具のクリップ構造。
【請求項３】
前記クリップ本体部は、前記台座部に対して前記軸部によって揺動自在に支持されていることを特徴とする請求項１又は２記載の筆記具のクリップ構造。
【発明の詳細な説明】
【技術分野】
【０００１】
本発明は、筆記具のキャップや軸筒などに採用されるクリップ構造に関するものである。
【背景技術】
【０００２】
従来、このような分野の技術として、下記特許文献１に記載の筆記具のクリップ構造が知られている。このクリップ構造は、筆記具の軸筒との間で物を挟むクリップ本体部と、クリップ本体部と軸筒とを連結して、クリップ本体部に挟持力を発生させる板バネとを備えている。この板バネの一端は、クリップ本体部の先端側で固定され、板バネの弾性力によってクリップ本体部の先端を軸筒の外壁面側に付勢することで、クリップ本体部に狭持力を発揮させている。さらに、このクリップ構造において、軸筒側に設けられた回転軸は、クリップ本体部の基端側に形成された受容孔内に挿入され、この受容孔は、軸線に対して直交する方向に延在する長孔である。従って、クリップ本体部の基部側は、軸筒に対して近づいたり離れたりするような移動が可能であるので、クリップ本体部の基端側と軸筒との間の間隔を広げることで、厚い物をクリップ本体部の奥まで差し入れることができ、クリップ本体部と軸筒との間で厚い物を確実に挟むことができる。
【先行技術文献】
【特許文献】
【０００３】
【特許文献１】特開２００７−２５３３２９号公報
【発明の概要】
【発明が解決しようとする課題】
【０００４】
弾性部材で狭持力を発生させる一般的なクリップ構造では、厚い物を挟むとクリップ本体部が大きく開くことになり、弾性部材の変形量が大きくなってしまうので、弾性部材の弾性疲労や破損が発生し易く、クリップの機能が損なわれるおそれもある。そして、上記特許文献１のクリップ構造にあっても、厚い物を挟み易くはなっているが、板バネの変形量が緩和されるわけではなく、板バネの弾性疲労や破損の可能性は特に低減されない。
【０００５】
本発明は、狭持力を発生させる弾性部材の弾性疲労や破損を抑制することができる筆記具のクリップ構造を提供することを目的とする。
【課題を解決するための手段】
【０００６】
本発明は、クリップ本体部と、クリップ本体部を支持するクリップ支持体との間で被狭持物を挟み込むようにした筆記具のクリップ構造において、
クリップ支持体の軸線に対して直交する方向に延在する回動軸線をもった軸部により、クリップ支持体に回動自在に支持された台座部と、
台座部の回動をクリップ支持体に対して係止させる係止手段と、
台座部に揺動自在に支持されたクリップ本体部と、
台座部とクリップ本体部との間に介装され、クリップ本体部の先端側をクリップ支持体に向けて付勢する弾性部材と、を備えたことを特徴とする。
【０００７】
このクリップ構造においては、台座部が、クリップ支持体の軸線に対して直交する方向に延在する回動軸線をもった軸部を中心に回動し、この台座部と一緒にクリップ本体部も回動させることができる。さらに、このクリップ本体部は、係止手段によって所定位置で止められたどの回動角度であっても、クリップ本体部の先端に発生する付勢力を、常に一定にすることができる。従って、このクリップ構造では、被狭持物の厚さに応じて、クリップ本体部が、弾性部材の付勢力と関係なしに開き、この状態から弾性部材の付勢力を発揮させることができるので、弾性部材の変形量が緩和され、その結果、弾性部材の弾性疲労や破損を抑制することができる。また、従来のクリップ構造にあっては、クリップ本体部が開けば開く程、クリップ本体部の先端の付勢力は強くなってしまうので、被挟持物が厚い物である場合、クリップ本体部の先端部の痕が被挟持物に付いてしまうことがあるが、本願発明では、このような事態が極めて起こり難い。
【０００８】
また、係止手段は、台座部に形成されて回動軸線を中心とした円弧部に設けられた平歯部と、クリップ支持体の軸線に沿って進退すると共に、平歯部に係合するラッチ部と、ラッチ部を円弧部に向けて付勢する他の弾性部材と、からなると好適である。
このような構成を採用すると、被挟持物の厚みに応じて、段階的にクリップ本体部を回動させることができ、更には、クリック感が得られ、操作性が良くなる。
【０００９】
また、クリップ本体部は、台座部に対して軸部によって揺動自在に支持されていると好適である。
このような構成は、クリップ本体部と台座部との軸の共有化を図り、台座部の回動支点とクリップ本体部の揺動支点とが同じになっているので、クリップ本体部を持ち上げる回動動作と台座部を回動させる動作とが一連の動作になり、クリップ本体部を持ち上げながら、台座部をスムーズに回動させることができる。
【発明の効果】
【００１０】
本発明によれば、狭持力を発生させる弾性部材の弾性疲労や破損を抑制することができる。
【図面の簡単な説明】
【００１１】
【図１】本発明に係るクリップ構造を適用した筆記具の一実施形態を示す断面図である。
【図２】クリップ構造の分解斜視図である。
【図３】クリップ本体部を最大限に開いた状態を示す断面図である。
【発明を実施するための形態】
【００１２】
以下、図面を参照しつつ本発明に係る筆記具のクリップ構造の好適な実施形態について詳細に説明する。なお、ペン先側を「前方側」として以下説明する。
【００１３】
図１に示すように、筆記具１は、前後で分割された前軸部２ａと後軸部２ｂとからなる軸筒２を備え、後軸部２ｂのノックによって、前軸部２ａのペン先３からシャープペンシルを繰り出すことができる。また、後軸部２ｂの開放端には、エンドキャップEが嵌められている。
【００１４】
軸筒２の後軸部２ｂには、先端に玉部４ａを有するクリップ本体部４と、クリップ本体部４を支持する軸筒(クリップ支持体)２との間で被挟持物を挟み込むように構成されたクリップ構造が採用されている。
【００１５】
図１及び図２に示すように、クリップ構造は、軸筒２の後軸部２ｂの周面に形成された開口部６内に挿入されて軸支される略半円板形状の台座部７と、台座部７に対して揺動自在に支持されたクリップ本体部４と、クリップ本体部４の先端側の玉部４ａを軸筒２の後軸部２ｂに向けて付勢する圧縮コイルばね８と、台座部７の回動を所定の角度で係止させる係止手段１０と、を備えている。
【００１６】
台座部７は、平歯部１１ａが形成された円弧部１１と、円弧部１１と一体をなす台座本体部１２とを有している。この台座本体部１２には、軸線Ｌに対して直交して延在する軸ピン(軸部)Ｐが貫通する軸孔１１ｂが設けられ、軸筒２の後軸部２ｂには、開口部６に連通して軸ピンPが貫通する軸孔２ｄが形成されている。更に、台座本体部１２の上面１２ａには、軸孔１１ｂに達する凹部１３が形成されている。
【００１７】
この凹部１３には、クリップ本体部４の後端側の裏面から突出する脚部４ｂが挿入され、この脚部４ｂに設けられた軸孔４ｃには、軸ピンＰが貫通している。そして、この脚部４ｂは、台座本体部１２の上面１２ａから突出する一対の支持部１４により挟み込まれ、脚部４ｂの倒れを防止している。
【００１８】
このような構成は、クリップ本体部４と台座部７との回転軸の共有化が図られ、台座部７の回動支点とクリップ本体部４の揺動支点とが同じになっているので、クリップ本体部４を持ち上げる回動動作と台座部７を回動させる動作とが一連の動作になり、クリップ本体部４を持ち上げながら、台座部７をスムーズに回動させることができる。
【００１９】
更に、台座本体部１２の上面１２ａにおいて、凹部１３より前側には、クリップ本体部４に向けて突出する第１のストッパ部１６が形成され、凹部１３より後側には、クリップ本体部４に向けて突出する第２のストッパ部１７が形成されている。従って、軸ピンＰの前後に配置された第１及び第２のストッパ部１６，１７がクリップ本体部４の裏面に当接することにより、クリップ本体部４の揺動範囲を規制することができる。なお、第１及び第２のストッパ部は、クリップ本体部４の裏面に突設させてもよい。
【００２０】
圧縮コイルばね８の一端は、台座部７の凹部１３と第２のストッパ部１７との間に配置され、台座本体部１２の上面１２ａに設けられた突起部１８によって支持されている。また、圧縮コイルばね８の他端は、クリップ本体部４の脚部４ｂとクリップ本体部４の後端との間に配置され、クリップ本体部４の裏面に設けられた凹部１９内で支持されている。このようにして、クリップ本体部４の先端側の玉部４ａを軸筒２の後軸部２ｂに向けて付勢し、圧縮コイルばね８の脱落を防止している。なお、圧縮コイルばね８に代えて、Ｕ字状の板バネによって台座部７とクリップ本体部４の後端とを連結させてもよい。
【００２１】
台座部７の回動を所定の角度で係止させるための係止手段１０は、軸ピンＰの回動軸線Ｒを中心とした円弧部１１の周面に設けられた平歯部１１ａと、軸筒２の後軸部２ｂの軸線Ｌに沿って進退すると共に、平歯部１１ａに係合するラッチ部２０と、ラッチ部２０を円弧部１１に向けて付勢する圧縮コイルばね２１と、からなる。
【００２２】
円弧部１１を収容する開口部６は、軸筒２の後軸部２ｂで軸線Ｌに沿って延在する中空部２ｃに連通し、この中空部２ｃ内にラッチ部２０が収容されている。ラッチ部２０の周面は、中空部２ｃの壁面に沿って摺動するラッチ本体部２１と、三角柱形状の係止突起２２と、からなる。このラッチ部２０の回り止めのために、ラッチ部２０の周面には、軸線Ｌ方向に延在する溝部２０ａが形成され、後軸部２ｂの中空部２ｃを形成する壁面には、溝部２０ａ内に入り込むガイド凸部２３(図３参照)が軸線Ｌ方向に形成されている。
【００２３】
軸筒２内の圧縮コイルばね２１は、円筒状のばね座２４によって支持され、このばね座２４は、後軸部２ｂの中空部２ｃの壁面に固定されている。そして、ラッチ部２０の端部には、圧縮コイルばね２１内に挿入されるばね支持部２６が突設されている。
【００２４】
本などの厚い被挟持物に筆記具１を留める場合、クリップ本体部４の先端を指で摘んで矢印Ａ方向に持ち上げるようにする。すると、クリップ本体部４と一緒に台座部７が回動する。このとき、ラッチ部２０の係止突起２２が平歯部１１ａの山部で押されると、ラッチ部２０がばね２１の付勢力に抗して後退し、ラッチ部２０の係止突起２２が平歯部１１ａの谷部に入り込むと、ラッチ部２０がばね２１の付勢力によって前進する。このような動作を繰り返しながら、クリップ本体部４を、一段ずつ上げ下げすることができる。このような操作は、クリック感が得られ、操作性が良い。なお、本実施形態では、２段になっているが、平歯部１１ａの歯数を変えることで、調整段数は任意になる。
【００２５】
図３に示すように、クリップ本体部４は、係止手段１０によって所定位置で止められたどの回動角度であっても、クリップ本体部４の先端に発生する付勢力を、常に一定にすることができる。従って、このクリップ構造では、被狭持物の厚さに応じて、クリップ本体部４が圧縮コイルばね８の付勢力と関係なしに開き、この状態から圧縮コイルばね８の付勢力を矢印Ｂの範囲内で発揮させることができるので、圧縮コイルばね８の変形量が緩和され、その結果、圧縮コイルばね８の弾性疲労や破損を抑制することができる。なお、クリップ本体部４を、最上段まで上げて静止させた場合、被挟持物の厚みは、Ｓ１〜Ｓ２まで対応可能である。
【００２６】
そして、従来のクリップ構造にあっては、クリップ本体部が開けば開く程、クリップ本体部の先端の付勢力は強くなってしまうので、被挟持物が厚い物である場合、クリップ本体部の先端部の痕が被挟持物に付いてしまうことがあるが、本願発明では、クリップ本体部４の玉部４ａの痕が被挟持物に付き難い。
【００２７】
本発明は、前述した実施形態に限定されないことは言うまでもない。
【００２８】
例えば、クリップ支持体としては、ペン先の保護や乾きを防止するために利用される着脱自在なキャップであってもよい。
【００２９】
係止手段１０は、クリップ本体部４の開きを無段階にするものであってもよい。例えば、平歯部をもたない円弧部に、回転抵抗力の大きなローラを圧着させた構成であってもよい。
【符号の説明】
【００３０】
１…筆記具、２…軸筒(クリップ支持体)、４…クリップ本体部、７…台座部、８…圧縮コイルばね(弾性部材)、１０…係止手段、１１…円弧部、１１ａ…平歯部、２０…ラッチ部、２１…圧縮コイルばね(弾性部材)、Ｌ…軸線、Ｒ…回動軸線、Ｐ…軸ピン(軸部)。
【図１】
0005469495.tif 000002
【図２】
0005469495.tif 000003
【図３】
0005469495.tif 000004